(57)【要約】【課題】入力項目に対するデータの入力作業を終了させる場面における利便性を向上させることが可能な、情報処理装置を提供する。【解決手段】複数の入力項目を表示画面に表示させる表示制御部と、前記複数の入力項目に対する利用者によるデータの入力を受け付ける入力受付部と、前記複数の入力項目のうち少なくともいずれかに対して入力されたデータがデータの入力を終了させるための文字列に対応する場合に、前記複数の入力項目に対する入力の受け付けを終了する入力終了部と、を備える、情報処理装置。【選択図】図８
2016033699.tif 000002
【特許請求の範囲】
【請求項１】
複数の入力項目を表示画面に表示させる表示制御部と、
前記複数の入力項目に対する利用者によるデータの入力を受け付ける入力受付部と、
前記複数の入力項目のうち少なくともいずれかに対して入力されたデータがデータの入力を終了させるための文字列に対応する場合に、前記複数の入力項目に対する入力の受け付けを終了する入力終了部と、
を備える、情報処理装置。
【請求項２】
前記複数の入力項目は、医療機関で記載されたレセプトに含まれる複数の記載項目にそれぞれ対応づけられている、請求項１に記載の情報処理装置。
【請求項３】
前記情報処理装置は、前記複数の入力項目の各々に対する利用者によるデータの入力が完了する度に、当該入力項目に対して入力されたデータを認識するデータ認識部をさらに備え、
前記入力終了部は、前記データ認識部により認識されたデータが前記データの入力を終了させるための文字列に対応する場合に、前記複数の入力項目に対する入力の受け付けを終了する、請求項１または２に記載の情報処理装置。
【請求項４】
前記データの入力を終了させるための文字列は、第１のデータを含み、
前記入力終了部は、前記複数の入力項目のうち少なくともいずれかに対して入力されたデータが前記第１のデータに対応する場合に、前記入力受付部により受け付けられたデータを破棄する、請求項１〜３のいずれか一項に記載の情報処理装置。
【請求項５】
前記データの入力を終了させるための文字列は、第２のデータを含み、
前記情報処理装置は、前記複数の入力項目のうち少なくともいずれかに対して入力されたデータが前記第２のデータに対応する場合に、前記入力受付部により受け付けられたデータを入力項目と対応づけてデータベースに記録するデータ管理部をさらに備える、請求項１〜３のいずれか一項に記載の情報処理装置。
【請求項６】
前記データ管理部は、利用者の操作に応じて、前記データベースに記録されているデータを入力項目と対応づけて抽出し、
前記表示制御部は、抽出したデータを入力項目と対応づけて前記表示画面に表示させる、請求項５に記載の情報処理装置。
【請求項７】
前記第１のデータとはデータの入力を終了すべき旨の文字列、またはデータの入力ができない旨の文字列である、請求項４に記載の情報処理装置。
【請求項８】
前記第２のデータとはデータの入力を中断すべき旨の文字列である、請求項５に記載の情報処理装置。
【請求項９】
複数の入力項目を表示画面に表示させる表示制御部と、
前記複数の入力項目に対する利用者によるデータの入力を受け付ける入力受付部と、
前記複数の入力項目のうち少なくともいずれかに対して入力されたデータがデータの入力を終了させるための文字列に対応する場合に、前記複数の入力項目に対する入力の受け付けを終了する入力終了部と、
を備える、情報処理システム。
【発明の詳細な説明】
【技術分野】
【０００１】
本発明は、情報処理装置に関する。
【背景技術】
【０００２】
従来、例えば文字入力ソフトウェアなど、表示画面において利用者が所望のデータを入力するための技術が各種開発されている。
【０００３】
また、利用者により入力されたデータに基づいて、各種の処理を実行させる技術が提案されている。例えば、特許文献１には、音声入力された文字列の中に所定のコマンドが含まれている場合には、所定のコマンドに対応する処理を実行させる技術が記載されている。また、特許文献２には、表示画面に表示された認識中止ボタンが利用者により選択されると、文字入力枠に対して手書き入力された文字の認識を中止する技術が記載されている。
【先行技術文献】
【特許文献】
【０００４】
【特許文献１】特開２００６−１３６３８５号公報
【特許文献２】特開平６−１８７５０５号公報
【発明の概要】
【発明が解決しようとする課題】
【０００５】
ところで、入力項目に対するデータの入力作業を利用者が終了させる場面に上記の技術を適用することを想定すると、上記の技術は利便性が低い。例えば、特許文献２に記載の技術では、利用者が文字を入力するための文字入力枠と、文字認識を中止させるための認識中止ボタンとが区別されている。このため、表示画面における文字の入力操作と、入力した文字の認識を中止させる操作とを、利用者が同一の操作方法により行うことができない。
【０００６】
そこで、本発明は、上記問題に鑑みてなされたものであり、本発明の目的とするところは、入力項目に対するデータの入力作業を終了させる場面における利便性を向上させることが可能な、新規かつ改良された情報処理装置を提供することにある。
【課題を解決するための手段】
【０００７】
上記課題を解決するために、本発明のある観点によれば、複数の入力項目を表示画面に表示させる表示制御部と、前記複数の入力項目に対する利用者によるデータの入力を受け付ける入力受付部と、前記複数の入力項目のうち少なくともいずれかに対して入力されたデータがデータの入力を終了させるための文字列に対応する場合に、前記複数の入力項目に対する入力の受け付けを終了する入力終了部と、を備える、情報処理装置が提供される。
【０００８】
前記複数の入力項目は、医療機関で記載されたレセプトに含まれる複数の記載項目にそれぞれ対応づけられていてもよい。
【０００９】
前記情報処理装置は、前記複数の入力項目の各々に対する利用者によるデータの入力が完了する度に、当該入力項目に対して入力されたデータを認識するデータ認識部をさらに備え、前記入力終了部は、前記データ認識部により認識されたデータが前記データの入力を終了させるための文字列に対応する場合に、前記複数の入力項目に対する入力の受け付けを終了してもよい。
【００１０】
前記データの入力を終了させるための文字列は、第１のデータを含み、前記入力終了部は、前記複数の入力項目のうち少なくともいずれかに対して入力されたデータが前記第１のデータに対応する場合に、前記入力受付部により受け付けられたデータを破棄してもよい。
【００１１】
前記データの入力を終了させるための文字列は、第２のデータを含み、前記情報処理装置は、前記複数の入力項目のうち少なくともいずれかに対して入力されたデータが前記第２のデータに対応する場合に、前記入力受付部により受け付けられたデータを入力項目と対応づけてデータベースに記録するデータ管理部をさらに備えてもよい。
【００１２】
前記データ管理部は、利用者の操作に応じて、前記データベースに記録されているデータを入力項目と対応づけて抽出し、前記表示制御部は、抽出したデータを入力項目と対応づけて前記表示画面に表示させてもよい。
【００１３】
前記第１のデータとはデータの入力を終了すべき旨の文字列、またはデータの入力ができない旨の文字列であってもよい。
【００１４】
前記第２のデータとはデータの入力を中断すべき旨の文字列であってもよい。
【００１５】
また、上記課題を解決するために、本発明の別の観点によれば、複数の入力項目を表示画面に表示させる表示制御部と、前記複数の入力項目に対する利用者によるデータの入力を受け付ける入力受付部と、前記複数の入力項目のうち少なくともいずれかに対して入力されたデータがデータの入力を終了させるための文字列に対応する場合に、前記複数の入力項目に対する入力の受け付けを終了する入力終了部と、を備える、情報処理システムが提供される。
【発明の効果】
【００１６】
以上説明したように本発明によれば、入力項目に対するデータの入力作業を終了させる場面における利便性を向上させることができる。
【図面の簡単な説明】
【００１７】
【図１】本発明の実施形態による情報処理システムの構成例を示した説明図である。
【図２】診療報酬明細書の一例を示した説明図である。
【図３】同実施形態による入力画面の表示例を示した説明図である。
【図４】同実施形態による入力画面に対する入力例を示した説明図である。
【図５】同実施形態によるオペレータ端末１０の構成を示した機能ブロック図である。
【図６】同実施形態による入力画面に対する入力例を示した説明図である。
【図７】同実施形態によるデータ保存ＤＢ１２８の構成例を示した説明図である。
【図８】同実施形態による動作の一部を示したフローチャートである。
【図９】同実施形態による動作の一部を示したフローチャートである。
【図１０】同実施形態によるオペレータ端末１０のハードウェア構成を示した説明図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
また、以下に示す項目順序に従って当該「発明を実施するための形態」を説明する。
１．情報処理システムの基本構成
１−１．基本構成
１−２．課題の整理
２．実施形態の詳細な説明
２−１．構成
２−２．動作
２−３．効果
３．ハードウェア構成
４．変形例
【００２０】
＜＜１．情報処理システムの基本構成＞＞
＜１−１．基本構成＞
本発明は、一例として「２．実施形態の詳細な説明」において詳細に説明するように、多様な形態で実施され得る。最初に、本発明の実施形態による情報処理システムの基本構成について図１を参照して説明する。
【００２１】
図１に示したように、本実施形態による情報処理システムは、オペレータ端末１０、サーバ２０、および通信網２２を含む。
【００２２】
［１−１−１．オペレータ端末１０］
オペレータ端末１０は、本発明における情報処理装置の一例である。このオペレータ端末１０は、例えば医療機関から送付された診療報酬明細書（以下、紙レセプトとも称する）を電子化することを目的として、データ入力を行うための端末である。このオペレータ端末１０は、例えばＰＣ（Ｐｅｒｓｏｎａｌ  Ｃｏｍｐｕｔｅｒ）などであってもよい。なお、オペレータは、本発明における利用者の一例である。
【００２３】
ここで、図２を参照して、紙レセプトの一例（紙レセプト３０）について説明する。図２に示したように、紙レセプト３０は、例えば項目記載欄３００、および明細書番号印字欄３０２を含む。ここで、項目記載欄３００は、例えば氏名記載欄３００ａ、性別記載欄３００ｂなど、該当の医療機関の該当の月の診療報酬を決定するために必要な項目の記載欄である。この項目記載欄３００には、医療機関において診療内容等が記載される。また、明細書番号印字欄３０２は、医療機関から受け付けた個々の紙レセプトを識別するための番号（明細書番号）が印字される欄である。
【００２４】
オペレータは、紙レセプトを見ながら、紙レセプトに含まれる各記載項目の記載内容を示すデータを、入力画面において各記載項目に対応する入力項目の入力欄に入力する。ここで、データとは、例えば１以上の文字や、アイコンなどである。
【００２５】
次に、図３および図４を参照して、入力画面の構成例（入力画面４０）について説明する。図３に示したように、入力画面４０は、複数の入力項目の入力欄４００、入力完了ボタン４０２、およびエントリ番号表示欄４０４を含む。ここで、入力項目は、例えば氏名、性別などを含み、また、入力欄４００は、例えば氏名入力欄４００ａ、性別入力欄４００ｂなど、紙レセプト３０における項目記載欄３００の各々の記載内容を入力するための入力欄である。なお、図３では、オペレータが現在入力可能な入力項目の入力欄４００が太線で表示される例を示している。
【００２６】
また、入力完了ボタン４０２は、例えば全ての入力項目の入力欄４００にデータの入力が完了した場合などに選択されるボタンである。また、エントリ番号表示欄４０４は、オペレータ端末１０に表示された個々の入力画面４０を識別するための番号（エントリ番号）が表示される表示欄である。
【００２７】
この入力画面は、例えば図４に示した入力例のように、入力画面において最も上に表示されている氏名入力欄４００ａから下へ一つずつ順々に入力可能なように設計されている。例えば、図４に示した例では、オペレータは、まず、氏名入力欄４００ａに対して「青木  太郎」という文字列を入力し、そして、入力項目「氏名」に対する入力を確定させるために例えば「Ｆ３」などの所定の確定キーを押下する。すると、オペレータ端末１０は、オペレータが入力可能な入力項目の入力欄４００を、氏名入力欄４００ａから性別入力欄４００ｂへ遷移させる。
【００２８】
この入力画面によれば、オペレータは、各入力項目の入力欄４００に対して連続的にデータを入力していくことが可能であるので、効率的にデータを入力することができる。
【００２９】
また、オペレータ端末１０は、入力画面における全ての入力項目の入力欄４００に対する入力が完了した場合に、入力されたデータをサーバ２０へ送信することが可能である。
【００３０】
［１−１−２．サーバ２０］
サーバ２０は、オペレータ端末１０から受信される、紙レセプトの記載内容の入力データを保存するための装置である。また、サーバ２０は、保存している紙レセプトの入力データを例えば診療報酬明細書を審査する審査機関へ提供する。
【００３１】
［１−１−３．通信網２２］
通信網２２は、通信網２２に接続されている装置から送信される情報の有線、または無線の伝送路である。例えば、通信網２２は、電話回線網、インターネット、衛星通信網などの公衆回線網や、Ｅｔｈｅｒｎｅｔ（登録商標）を含む各種のＬＡＮ、ＷＡＮ（Ｗｉｄｅ  Ａｒｅａ  Ｎｅｔｗｏｒｋ）などを含む。また、通信網２２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００３２】
＜１−２．課題の整理＞
例えば図２に示した紙レセプト３０における傷病名欄３００ｇのように、医療機関において紙レセプトの一部の記載項目の記載が漏れていたり、または記載された文字が判別不能である場合が生じ得る。このような場合には、オペレータは、例えば当該紙レセプトに関するデータの入力を中止し、そして、紙レセプトを該当の医療機関へ返戻する。
【００３３】
ところで、従来、データの入力作業を中止する方法として、例えば入力画面に含まれる中止ボタンをマウスで選択する方法、あるいは、ファンクションキーなどキーボードにおける特定のキーを押下する方法が用いられている。
【００３４】
仮に入力画面におけるデータの入力作業を中止するためにこれらの方法を利用することを想定すると、使用するデバイスを切り替える操作、あるいは（通常の入力用のキーとは異なる）特定のキーを押下する操作など、データの入力操作とは異なる操作が必要となる。このため、入力作業を中止する操作がオペレータにとって不便になり得る。また、オペレータの入力作業の効率を大きく低下させる恐れがある。
【００３５】
そこで、上記事情を一着眼点にして本発明によるオペレータ端末１０を創作するに至った。本発明によるオペレータ端末１０は、入力項目に対するデータの入力作業を終了させる場面における利便性を向上させることが可能である。以下、このような本発明の実施形態について順次詳細に説明する。
【００３６】
＜＜２．実施形態の詳細な説明＞＞
＜２−１．構成＞
まず、本実施形態による構成について詳細に説明する。図５は、本実施形態によるオペレータ端末１０の構成を示した機能ブロック図である。図５に示したように、オペレータ端末１０は、制御部１００、通信部１２０、表示部１２２、入力部１２４、および記憶部１２６を有する。
【００３７】
［２−１−１．制御部１００］
制御部１００は、オペレータ端末１０に内蔵される、後述するＣＰＵ（Ｃｅｎｔｒａｌ  Ｐｒｏｃｅｓｓｉｎｇ  Ｕｎｉｔ）１５０、ＲＡＭ（Ｒａｎｄｏｍ  Ａｃｃｅｓｓ  Ｍｅｍｏｒｙ）１５４などのハードウェアを用いて、オペレータ端末１０の動作を全般的に制御する。また、図５に示したように、制御部１００は、表示制御部１０２、データ認識部１０４、入力受付部１０６、入力終了部１０８、およびデータ管理部１１０を有する。
【００３８】
［２−１−２．表示制御部１０２］
表示制御部１０２は、例えば図３に示したような複数の入力項目を含む入力画面を、後述する表示部１２２に表示させる。例えば、表示制御部１０２は、後述する入力終了部１０８により入力の受け付けが終了された際に、新たな入力画面を表示部１２２に表示させる。
【００３９】
［２−１−３．データ認識部１０４］
データ認識部１０４は、入力画面に含まれる各入力項目に対してオペレータにより入力されたデータを認識する。より具体的には、データ認識部１０４は、各入力項目に対するデータの入力が完了する度に、当該入力項目に対して入力されたデータを認識する。
【００４０】
例えば、図３に示した例において、オペレータにより氏名入力欄４００ａに対して「青木  太郎」という文字列が入力され、かつ、所定の確定キーが押下された場合には、データ認識部１０４は、氏名入力欄４００ａに入力されたデータが「青木  太郎」という文字列であることを認識する。
【００４１】
［２−１−４．入力受付部１０６］
入力受付部１０６は、データ認識部１０４により認識されたデータを、入力項目と対応づけて受け付ける。また、入力受付部１０６は、後述する入力終了部１０８による入力の受け付けが終了するまで、受け付けたデータを保持することが可能である。
【００４２】
［２−１−５．入力終了部１０８］
入力終了部１０８は、データ認識部１０４により認識されたデータがデータの入力を終了させるための文字列を含む場合に、各入力項目に対する入力の受け付けを終了する。例えば、入力終了部１０８は、データ認識部１０４により認識されたデータがデータの入力を終了させるための文字列を含む場合に、入力部１２４に対して利用者により入力されたデータを受け付けないように入力受付部１０６を制御する。ここで、データの入力を終了させるための文字列は、例えば、後述する所定の終了データや、所定の中断データなどである。
【００４３】
（２−１−５−１．終了例１）
また、入力終了部１０８は、データ認識部１０４により認識されたデータが所定の終了データを含む場合には、入力受付部１０６により受け付けられたデータを破棄する。なお、所定の終了データは、本発明における第１のデータの一例である。所定の終了データは、紙レセプトにおいて記載される可能性がほとんど無いと想定されるデータであり、例えば「入力不可」のような、データの入力を終了すべき旨のデータ、またはデータの入力ができない旨のデータであって入力作業の終了を意味する文字列などである。
【００４４】
ここで、図６を参照して、上記の機能についてより詳細に説明する。図６に示したように、入力画面４０において例えば傷病名入力欄４００ｇに「入力不可」という文字列がオペレータにより入力され、かつ、所定の確定キーが押下された場合には、入力終了部１０８は、まず、入力順が次の入力項目の入力欄４００（診療開始日入力欄４００ｈ）の代わりに、入力完了ボタン４０２へカーソルを遷移させる。そして、オペレータにより例えば「エンターキー」などの所定のキーが押下された場合には、入力終了部１０８は、入力受付部１０６により受け付けられたデータ、つまり図６に示した例では入力項目の入力欄４００ａ〜４００ｆに対して入力されたデータを全て破棄する。
【００４５】
（２−１−５−２．終了例２）
また、入力終了部１０８は、データ認識部１０４により認識されたデータが所定の中断データを含む場合には、当該入力画面における入力の受け付けを中断する。なお、所定の中断データは、本発明における第２のデータの一例である。所定の中断データは、紙レセプトにおいて記載される可能性がほとんど無いと想定されるデータであり、例えば「入力中断」のような、入力を中断すべき旨のデータであって入力作業の中断を意味する文字列などである。
【００４６】
［２−１−６．データ管理部１１０］
データ管理部１１０は、後述するデータ保存ＤＢ１２８に対してデータの記録、抽出、削除などの操作を行う。なお、データ保存ＤＢ１２８は、本発明におけるデータベースの一例である。
【００４７】
例えば、データ管理部１１０は、入力終了部１０８により入力の受け付けが中断された際に、入力受付部１０６により受け付けられたデータを入力項目と対応づけてデータ保存ＤＢ１２８に記録する。また、データ管理部１１０は、データ保存ＤＢ１２８に記録されているデータのうちいずれかを例えばオペレータの指示に基づいて抽出した場合には、抽出したデータをデータ保存ＤＢ１２８から削除する。
【００４８】
（２−１−６−１．データ保存ＤＢ１２８）
ここで、図７を参照して、データ保存ＤＢ１２８の構成例について説明する。図７に示したように、データ保存ＤＢ１２８では、例えば、明細書番号１２８０、エントリ番号１２８２、および入力内容１２８４が対応づけて記録される。ここで、明細書番号１２８０には、例えば入力が中断された際に表示される画面に対してオペレータにより入力された、該当の紙レセプトに印字されている明細書番号が記録される。また、エントリ番号１２８２には、入力が中断された入力画面のエントリ番号が記録される。また、入力内容１２８４は、例えば氏名１２８６、性別１２８８、元号１２９０などを含む。入力内容１２８４には、該当の入力画面において入力項目の入力欄４００の各々に対して入力されたデータがそれぞれ記録される。
【００４９】
例えば、図７に示した１レコード目のデータは、データの入力が中断された（対象の）紙レセプトの明細書番号が「１００１」であること、該当の入力画面のエントリ番号が「１２３４」であること、また、例えば氏名入力欄４００ａに対して入力された文字列が「青木  太郎」であり、性別入力欄４００ｂに対して入力された文字列が「男」であることなどがそれぞれ記録されていることを示している。
【００５０】
［２−１−７．通信部１２０］
通信部１２０は、通信網２２を介して、他の装置との間で情報の送受信を行う。例えば、通信部１２０は、制御部１００の制御に従って、入力画面において入力が全て完了した入力データをサーバ２０へ送信する。
【００５１】
［２−１−８．表示部１２２］
表示部１２２は、表示制御部１０２の制御に従って、例えば入力画面などの各種の表示画面を表示する。
【００５２】
［２−１−９．入力部１２４］
入力部１２４は、オペレータによるオペレータ端末１０に対する各種の入力操作を受け付ける。
【００５３】
［２−１−１０．記憶部１２６］
記憶部１２６は、例えば、データ保存ＤＢ１２８などの各種データを記憶する。
【００５４】
なお、本実施形態によるオペレータ端末１０の構成は、上述した構成に限定されない。例えば、データ保存ＤＢ１２８は、記憶部１２６に記憶される代わりに、通信網２２に接続された他の装置に記憶されることも可能である。
【００５５】
＜２−２．動作＞
以上、本実施形態による構成について説明した。続いて、本実施形態による動作について説明する。なお、以下では、一枚の紙レセプトに記載されている記載内容をオペレータがオペレータ端末１０に対して入力する場面における動作の例について説明する。
【００５６】
図８は、本実施形態による動作の一部を示したフローチャートである。図８に示したように、まず、オペレータ端末１０の表示制御部１０２は、例えばオペレータによる操作に基づいて、新規の入力画面を表示部１２２に表示させる（Ｓ１０１）。
【００５７】
続いて、制御部１００は、入力画面に含まれる全ての入力項目に対する入力が完了しているか否かを判定する（Ｓ１０２）。全ての入力項目に対する入力が完了している場合には（Ｓ１０２：Ｙｅｓ）、制御部１００は、入力された全てのデータをサーバ２０へ通信部１２０に送信させる（Ｓ１０３）。
【００５８】
一方、入力が未完了である入力項目が残っている場合には（Ｓ１０２：Ｎｏ）、オペレータは、残っている入力項目のうち入力順が次である入力項目に関して、紙レセプトに含まれる記載項目に記載がされているか否か（また、記載内容が判別可能であるか否か）を確認する（Ｓ１０４）。
【００５９】
該当の記載項目に記載がされている場合には（Ｓ１０４：Ｙｅｓ）、オペレータは、該当の入力項目に対して、該当の記載項目に記載されている内容を入力する。そして、オペレータ端末１０の入力受付部１０６は、入力されたデータを入力項目と対応づけて受け付ける（Ｓ１０９）。その後、オペレータ端末１０は、再びＳ１０２の動作を繰り返す。
【００６０】
一方、該当の記載項目に記載が漏れていたり、または記載内容が判別不能である場合には（Ｓ１０４：Ｎｏ）、オペレータは、該当の記載項目に記載されるべき内容を医療機関へ例えば電話などにより問い合わせ可能であるか否かを判断する（Ｓ１０５）。
【００６１】
該当の記載項目に記載されるべき内容を医療機関へ問い合わせ可能でない場合には（Ｓ１０５：Ｎｏ）、オペレータは、該当の入力項目に対して、例えば「入力不可」などの所定の終了データを入力し、そして、入力完了ボタンを選択する（Ｓ１０６）。続いて、オペレータ端末１０の入力終了部１０８は、入力受付部１０６により受け付けられたデータを全て破棄する（Ｓ１０７）。その後、オペレータは、該当の紙レセプトを、送付元の医療機関へ返戻する（Ｓ１０８）。
【００６２】
一方、該当の記載項目に記載されるべき内容を医療機関へ問い合わせ可能である場合には（Ｓ１０５：Ｙｅｓ）、オペレータは、後述するＳ１１１の動作を行う。
【００６３】
ここで、図９を参照して、Ｓ１１１以降の動作について説明する。Ｓ１１１において、オペレータは、該当の入力項目に対して、例えば「入力中断」などの所定の中断データを入力し、そして、入力完了ボタンを選択する（Ｓ１１１）。続いて、オペレータ端末１０の入力終了部１０８は、当該入力画面における入力の受け付けを中断する。そして、データ管理部１１０は、入力受付部１０６により受け付け済みの各データを入力項目と対応づけてデータ保存ＤＢ１２８に記録する（Ｓ１１２）。
【００６４】
その後、オペレータは、該当の記載項目に記載されるべき内容を医療機関へ問い合わせる（Ｓ１１３）。そして、オペレータは、問い合わせに対する回答を医療機関から取得する（Ｓ１１４）。
【００６５】
その後、表示制御部１０２は、例えばオペレータにより所定の入力が行われた場合に、データ保存ＤＢ１２８に記録されているデータの検索画面を表示部１２２に表示させる。そして、オペレータは、該当の紙レセプトに印字されている明細書番号を検索画面に入力する。その後、オペレータ端末１０のデータ管理部１１０は、オペレータにより入力された明細書番号をキーとして、該当の紙レセプトに関して入力されたデータを入力項目と対応づけてデータ保存ＤＢ１２８から抽出する。そして、データ管理部１１０は、抽出したデータをデータ保存ＤＢ１２８から削除する（Ｓ１１５）。
【００６６】
続いて、表示制御部１０２は、新たな入力画面を表示部１２２に表示させ、そして、データ管理部１１０により抽出されたデータを当該入力画面に表示させる（Ｓ１１６）。
【００６７】
その後、オペレータは、Ｓ１１４で取得された医療機関からの回答内容を該当の入力項目に対して入力する（Ｓ１１７）。そして、オペレータ端末１０は、再びＳ１０２の動作を行う。
【００６８】
＜２−３．効果＞
以上、例えば図５、図８、および図９等を参照して説明したように、本実施形態によるオペレータ端末１０は、複数の入力項目を含む入力画面を表示させ、各入力項目に対するオペレータによるデータの入力を受け付け、そして、複数の入力項目のうち少なくともいずれかに対して入力されたデータがデータの入力を終了させるための文字列を含む場合に、当該入力画面に対する入力の受け付けを終了する。
【００６９】
このため、入力項目に対するデータの入力操作と、データの入力を終了させる操作とを、オペレータは同一の平易な操作方法により行うことができるので、オペレータは、データの入力を容易に終了させることができる。例えば、オペレータはデータの入力を終了させる際に、使用するデバイスを切り替えたり、あるいは特定のキーを押下するなどの特別の操作をする必要がない。また、同様の理由により、オペレータの入力作業の効率がほとんど低下しない。
【００７０】
特に、オペレータは、フォーマットが固定された入力画面に対して、多数の紙レセプトの記載内容を次々に入力する作業を長時間行うので、上記２つの効果は大きい。
【００７１】
＜＜３．ハードウェア構成＞＞
以上、本発明の実施形態について説明した。次に、本実施形態によるオペレータ端末１０のハードウェア構成について、図１０を参照して説明する。図１０に示したように、オペレータ端末１０は、ＣＰＵ１５０、ＲＯＭ（Ｒｅａｄ  Ｏｎｌｙ  Ｍｅｍｏｒｙ）１５２、ＲＡＭ１５４、内部バス１５６、入出力インターフェース１５８、入力装置１６０、表示装置１６２、ＨＤＤ（Ｈａｒｄ  Ｄｉｓｋ  Ｄｒｉｖｅ）１６４、およびネットワークインターフェース１６６を備える。
【００７２】
＜３−１．ＣＰＵ１５０＞
ＣＰＵ１５０は、演算処理装置および制御装置として機能し、各種プログラムに従ってオペレータ端末１０内の動作全般を制御する。また、ＣＰＵ１５０は、オペレータ端末１０において制御部１００の機能を実現する。なお、ＣＰＵ１５０は、マイクロプロセッサなどのプロセッサにより構成される。
【００７３】
＜３−２．ＲＯＭ１５２＞
ＲＯＭ１５２は、ＣＰＵ１５０が使用するプログラムや演算パラメータ等を記憶する。
【００７４】
＜３−３．ＲＡＭ１５４＞
ＲＡＭ１５４は、ＣＰＵ１５０の実行において使用するプログラムや、その実行において適宜変化するパラメータ等を一時記憶する。
【００７５】
＜３−４．内部バス１５６＞
内部バス１５６は、ＣＰＵバスなどから構成される。この内部バス１５６は、ＣＰＵ１５０、ＲＯＭ１５２、およびＲＡＭ１５４を相互に接続する。
【００７６】
＜３−５．入出力インターフェース１５８＞
入出力インターフェース１５８は、ＨＤＤ１６４、およびネットワークインターフェース１６６を、内部バス１５６と接続する。例えばＨＤＤ１６４は、この入出力インターフェース１５８および内部バス１５６を介して、ＲＡＭ１５４などとの間でデータをやり取りする。
【００７７】
＜３−６．入力装置１６０＞
入力装置１６０は、例えばキーボード、マウス、ボタン、マイクロフォン、またはスイッチなど利用者が情報を入力するための入力手段と、利用者による入力に基づいて入力信号を生成し、ＣＰＵ１５０に出力する入力制御回路などから構成されている。利用者は、入力装置１６０を操作することにより、オペレータ端末１０に対して各種のデータを入力したり、処理内容を指示したりすることができる。
【００７８】
＜３−７．表示装置１６２＞
表示装置１６２は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置、およびランプなどを含む。
【００７９】
＜３−８．ＨＤＤ１６４＞
ＨＤＤ１６４は、記憶部１２６として機能する、データ格納用の装置である。このＨＤＤ１６４は、例えば、記憶媒体、記憶媒体にデータを記録する記録装置、記憶媒体からデータを読み出す読出し装置、および記憶媒体に記録されたデータを削除する削除装置などを含む。また、ＨＤＤ１６４は、ＣＰＵ１５０が実行するプログラムや各種データを格納する。
【００８０】
＜３−９．ネットワークインターフェース１６６＞
ネットワークインターフェース１６６は、例えばインターネットなどの通信網に接続するための通信デバイス等で構成された通信インターフェースである。このネットワークインターフェース１６６は、通信部１２０として機能する。なお、ネットワークインターフェース１６６は、無線ＬＡＮ対応通信装置、ＬＴＥ（Ｌｏｎｇ  Ｔｅｒｍ  Ｅｖｏｌｕｔｉｏｎ）対応通信装置、または有線による通信を行うワイヤー通信装置であってもよい。
【００８１】
＜＜４．変形例＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８２】
＜４−１．変形例１＞
例えば、本実施形態による入力画面は、図３に示したような画面例に限定されない。例えば、入力項目の並び順は、図３に示した例に限定されず、任意の順番であってもよい。また、入力画面は、対象の紙レセプトが撮影された画像データをさらに含んでもよい。
【００８３】
＜４−２．変形例２＞
また、図６に示した例では、いずれかの入力項目の入力欄４００に「入力不可」という文字列がオペレータにより入力され、かつ、所定の確定キーが押下された場合には、入力終了部１０８は、一旦、入力完了ボタン４０２へカーソルを遷移させる例について説明したが、かかる例に限定されない。例えば、オペレータ端末１０は、上記の場合には、入力完了ボタン４０２へカーソルを遷移させることなく、入力済みのデータを全て破棄するとともに、新たな入力画面を表示させてもよい。または、オペレータ端末１０は、上記の場合には、入力画面を暗転させてもよい。これにより、例えば入力画面を切り替えるための操作を行うようにオペレータに促すことが可能である。
【００８４】
＜４−３．変形例３＞
また、上述したＳ１０５の変形例として、オペレータは、該当の記載項目に記載されるべき内容を（上述したように）医療機関へ問い合わせ可能であるか否かを判断する代わりに、同じ施設に勤務している管理者や他のオペレータ等の人物に確認可能であるか否かを判断してもよい。そして、この変形例２が適用された場合、２−２節で述べた動作例は以下のように変更されてもよい。例えば、Ｓ１１３において、オペレータは、該当の記載項目に記載されるべき内容を同じ施設に勤務している人物に質問する。また、Ｓ１１４において、オペレータは、Ｓ１１３における質問に対する回答を当該人物から取得する。
【００８５】
＜４−４．変形例４＞
また、上記の説明では、オペレータ端末１０が、医療機関で記載されたレセプトの記載内容を入力するために用いられる例を中心として説明したが、かかる例に限定されない。例えば、オペレータ端末１０は、行政機関や金融機関などで記載された各種書類の記載内容を入力するために用いられることも可能である。
【００８６】
＜４−５．変形例５＞
また、本実施形態によれば、ＣＰＵ１５０、ＲＯＭ１５２、およびＲＡＭ１５４などのハードウェアを、上述したオペレータ端末１０の各構成と同等の機能を発揮させるためのコンピュータプログラムも提供可能である。また、該コンピュータプログラムが記録された記録媒体も提供される。
【符号の説明】
【００８７】
１０  オペレータ端末
２０  サーバ
２２  通信網
１００  制御部
１０２  表示制御部
１０４  データ認識部
１０６  入力受付部
１０８  入力終了部
１１０  データ管理部
１２０  通信部
１２２  表示部
１２４  入力部
１２６  記憶部
１２８  データ保存ＤＢ
１５０  ＣＰＵ
１５２  ＲＯＭ
１５４  ＲＡＭ
１５６  内部バス
１５８  入出力インターフェース
１６０  入力装置
１６２  表示装置
１６４  ＨＤＤ
１６６  ネットワークインターフェース
【図１】
2016033699.tif 000003
【図２】
2016033699.tif 000004
【図３】
2016033699.tif 000005
【図４】
2016033699.tif 000006
【図５】
2016033699.tif 000007
【図６】
2016033699.tif 000008
【図７】
2016033699.tif 000009
【図８】
2016033699.tif 000010
【図９】
2016033699.tif 000011
【図１０】
2016033699.tif 000012